(57)【要約】【課題】実演者や指導者が、容易に実演者のフォームを撮影し、またその映像を再生、編集、比較することができる練習環境をユーザに提供し、また、このサービスの提供者がその撮影されたデータを実演者の意図しない他者に対して秘匿し、信頼性を確保して管理できるようにする。【解決手段】実演者が撮像端末で撮像した撮像データファイルを、その実演者のＩＤ情報と関連付けて識別可能にして他者に対して非公開の状態でサーバに格納し、アクセス権限を付与されたＩＤ情報によりログイン認証された操作端末からアクセス可能とする。【選択図】図１
2006130079.tif 000002
【特許請求の範囲】
【請求項１】
実演者のフォームを撮像する撮像端末と、この撮像端末で作成された撮像データファイルを格納して管理するフォームチェック装置と、上記フォームチェック装置からネットワークを介して受信した上記撮像データファイルを画面に出力する複数の操作端末とを備えたフォームチェックサービス用システムであって、
上記撮像端末が、上記撮像データファイルを上記実演者のＩＤ情報と関連付けて識別する撮像特定機能と、識別した上記撮像データファイルを上記フォームチェック装置に送信する機能とを有し、
上記フォームチェック装置は、受信した上記撮像データファイルを非公開の状態で格納するファイル管理機能と、上記実演者のＩＤ情報と対応付けたログイン情報により操作端末を認証するログイン認証機能と、認証した操作端末にアクセス権限が認められた撮像データファイルの識別情報を表示させるファイル情報表示機能と、上記識別情報を表示させた操作端末から要求された撮像データファイルをその操作端末に送信する要求撮像送信機能とを有し、
上記操作端末は、上記ログイン情報に対する入力機能とを有するフォームチェックサービス用システム。
【請求項２】
上記フォームチェック装置は、上記撮像データファイルと共に、この撮像データファイルの撮像に付随する情報をまとめた撮像固有情報ファイルを取り扱うことを特徴とする請求項１に記載のフォームチェックサービス用システム。
【請求項３】
上記フォームチェック装置は、上記のログイン情報と対応付けられたＩＤ情報に関連付けられた上記撮像データファイルへのアクセス権限を、そのＩＤ情報により認証した操作端末から、他者のＩＤ情報ごとに設定させるアクセス制限機能を有することを特徴とする請求項１又は２に記載のフォームチェックサービス用システム。
【請求項４】
上記フォームチェック装置は、撮像データファイルを送信した操作端末に対してその撮像データファイルの出力画面上で描画する描画機能を提供するチェック補助機能と、この描画機能による描画処理情報を描画対象の撮像データファイルと関連付けて記録するチェック情報記録機能と、描画対象の撮像データファイルへのアクセス権限を有する操作端末からの要求に応じて上記描画処理情報及び描画対象の撮像データファイルを送信するチェック情報提供機能とを有することを特徴とする請求項１乃至３のいずれかに記載のフォームチェックサービス用システム。
【請求項５】
上記フォームチェック装置は、認証した操作端末からの要求に応じて、予め格納された参考映像ファイルを送信し、これを表示させる参考映像提供機能を有することを特徴とする請求項１乃至４のいずれかに記載のフォームチェックサービス用システム。
【請求項６】
上記フォームチェック装置は、上記撮像データファイルを送信した操作端末に対して、その撮像データファイルへの指導情報を入力させる指導情報入力機能を提供し、この操作端末から入力された指導情報をその撮像データファイルに関連付けて格納し、その撮像データファイルへのアクセス権限を有する操作端末からの要求に応じて上記指導情報をその操作端末に出力させることを特徴とする請求項１乃至５のいずれかに記載のフォームチェックサービス用システム。
【請求項７】
上記フォームチェック装置は、上記指導情報として音声データを入力させる機能を提供することを特徴とする請求項６に記載のフォームチェックサービス用システム。
【請求項８】
上記フォームチェック装置は、ＩＤ情報ごとに設けられた個別格納部と、上記撮像端末から送信された撮像データファイルを保存する一時記憶部とを有し、上記ファイル管理機能は、一時記憶部に保存した撮像データファイルに関連付けられたＩＤ情報を識別し、保存した撮像データファイルを識別したＩＤ情報の個別格納部に振り分けることを特徴とする請求項１乃至７のいずれかに記載のフォームチェックサービス用システム。
【請求項９】
上記フォームチェック装置は、上記一時記憶部に上記撮像データファイルを保存した後、この撮像データファイルより上記操作端末に提供される上記描画機能に対応するファイル形式に変換した映像データファイルを作成する変換ファイル作成機能と、この映像データファイル及び上記撮像データファイルを上記フォームチェック装置に設けられた振り分け部に移し、この振り分け部内の撮像データファイルと映像データファイルを対応付けてこの撮像データファイルと関連付けられたＩＤ情報の個別格納部に格納する振り分け機能とを有することを特徴とする請求項８に記載のフォームチェックサービス用システム。
【請求項１０】
上記フォームチェック装置は、フォームチェックサービスを提供するサービス提供業者ごとに、利用可能な機能を選択して設定できることを特徴とする請求項１乃至９のいずれかに記載のフォームチェックサービス用システム。
【発明の詳細な説明】
【技術分野】
【０００１】
この発明は、ゴルフや野球などのスポーツ、ダンス、舞踊、茶道、華道、陶芸、或は、化粧や調理などの実演者を撮像し、その撮像データの保存や、その撮像データの再生映像に基づいた実演者のフォーム指導を行うサービスを、ネットワークを介して実現するフォームチェックサービス用システムに関し、特にスポーツのフォーム、中でもゴルフや野球などのスイングフォームのフォームチェックサービスに好適なものに関する。
【背景技術】
【０００２】
指導者等の実演者のフォームをビデオカメラ等で撮像し、これを再生して、練習生が参考にしたり、実演者自身が自らのフォームについて第三者からチェックを受けたりすることが広く行われている。また、実演者は、その撮像データを大切に保存し、自らの進歩を確認したり、思い出として記録に残したりすることも広く行われている。
【０００３】
しかし、実演者が、単独でビデオカメラ等を用意して自分の実演を撮像したり、撮像データを指導者の元に届けて指導を受けたりすることは、手間やコストの負担が大きい。そこで、従来から、ネットワーク通信により、撮像データに基づいたフォームチェックを手軽に受けられるフォームチェックサービス用システムが提案されている。
【０００４】
例えば、練習場に設置したカメラにより実演者であるゴルフ練習生のスイングフォームを撮像し、その撮像データをネットワーク経由でサーバに蓄積しておき、ゴルフ練習生は、アクセス用端末により、自分の撮像データと予めサーバに用意された模範映像とを並べて再生したり、指導員がアクセス用端末を用いて予めサーバに蓄積されたゴルフ練習生の撮像データに付加した指導内容を確認したりすることを実現できるようにしたフォームチェックサービス用システムがある（特許文献１参照）。
【０００５】
【特許文献１】特開２００２−２００２０６号公報
【発明の開示】
【発明が解決しようとする課題】
【０００６】
しかしながら、特許文献１にかかるフォームチェックサービス用システムでは、撮像データが単にサーバ上の指導者がアクセス権限を有する記憶部に蓄積されるだけであり、その実演者であるゴルフ練習生ごとに識別されるものではなく、その撮像データの分類もされなかった。このため、複数のゴルフ練習生からの撮像データがサーバ上に蓄積されると、個人情報である上記撮像データが他のゴルフ練習生に閲覧される心配がある。このため特許文献１に記載のフォームチェックサービス用システムでは、上記撮像データの秘匿性が欠落しており、サービスの信頼性が十分に確保されてはいなかった。
【０００７】
そこで、この発明の課題は、フォームチェックサービスの利用者にとって信頼性に優れたフォームチェックサービス用システムを提供することにある。
【課題を解決するための手段】
【０００８】
上記の課題を解決するため、この発明は、実演者のフォームを撮像する撮像端末と、この撮像端末で作成された撮像データファイルを格納して管理するフォームチェック装置と、上記フォームチェック装置からネットワークを介して受信した上記撮像データファイルを画面に出力する複数の操作端末とを備えたフォームチェックサービス用システムを次のように構成した。
【０００９】
すなわち、上記撮像端末が、上記撮像データファイルに上記実演者のＩＤ情報と関連付けて識別する撮像特定機能と、識別した上記撮像データファイルを上記フォームチェック装置に送信する機能とを有するようにした。ここで、ＩＤ情報は、撮像開始前に予め実演者ごとに固有に付与された識別情報である。これにより、上記撮像データファイルは、実演者ごとに、かつファイルごとに識別される。
【００１０】
そして、上記フォームチェック装置は、上記情報蓄積手段に、受信した上記撮像データファイルを非公開の状態で格納するファイル管理機能を有するので、システム外部に対する撮像データファイルの秘匿性とサービスの信頼性が確保される。
【００１１】
また、上記フォームチェック装置は、上記実演者のＩＤ情報と対応付けたログイン情報により操作端末を認証するログイン認証機能と、認証した操作端末にアクセス権限が認められた撮像データファイルの識別情報を表示させるファイル情報表示機能と、上記識別情報を表示させた操作端末から要求された撮像データファイルをその操作端末に送信する要求撮像送信機能とを有するので、格納された撮像データファイルにアクセスできるのはログイン認証され、かつアクセス権限を有する操作端末に限られる。
【００１２】
上記の構成において、上記フォームチェック装置は、撮像データファイルと共に、この撮像データファイルの撮像に付随する情報をまとめた撮像固有情報ファイルを取り扱うようにすることもできる。
【００１３】
また、上記構成においては、上記フォームチェック装置は、上記のログイン情報と対応付けられたＩＤ情報に関連付けられた上記撮像データファイルへのアクセス権限を、そのＩＤ情報により認証した操作端末から、他者のＩＤ情報ごとに設定させるアクセス制限機能を有する構成が好ましい。この構成によれば、実演者は、練習仲間の自宅や練習場等に設置された操作端末を利用してログイン情報を上記フォームチェック装置に送信するだけで上記フォームチェック装置に格納された撮像データファイルを出力し、フォームチェックを行うことができる。また実演者は、複数の操作端末にアクセス権限を設定することにより、特定の練習仲間への公開に限定しつつ、複数の練習仲間とフォームを同時に検討し合うことが可能になり、グループ学習を行うことができる。
【００１４】
また、上記構成においては、上記フォームチェック装置は、撮像データファイルを送信した操作端末に対してその撮像データファイルの出力画面上で描画する描画機能を提供するチェック補助機能と、この描画機能による描画処理情報を描画対象の撮像データファイルと関連付けて記録するチェック情報記録機能と、描画対象の撮像データファイルへのアクセス権限を有する操作端末からの要求に応じて上記描画処理情報及び描画対象の撮像データファイルを送信するチェック情報提供機能とを有する構成が好ましい。この構成によれば、再生や編集、比較を行うためのソフトをあらかじめアクセス用端末に組み込んでおく必要が無くなるのでサービスを利用しやすくなる。特に、上記フォームチェック装置がアクセス制限機能を有する場合には、他人の操作する端末に撮像データファイルへのアクセス権限を認めれば、実演者が自宅にいながら、友人や指導者等から客観的な分析を受けることができる。
【００１５】
また、上記構成においては、認証した操作端末からの要求に応じて、予め格納された参考映像ファイルを送信し、これを表示させる参考映像提供機能を有する構成を採用することができる。
【００１６】
また、上記構成においては、上記フォームチェック装置は、上記撮像データファイルを送信した操作端末に対して、その撮像データファイルへの指導情報を入力させる指導情報入力機能を提供し、この操作端末から入力された指導情報をその撮像データファイルに関連付けて格納し、その撮像データファイルへのアクセス権限を有する操作端末からの要求に応じて上記指導情報をその操作端末に出力させる構成とすることができる。この構成によれば、指導を受けることができ、その指導内容を保存することができ、要求に応じていつでも見ることが出来る。
【００１７】
特に、上記フォームチェック装置が、音声データを入力させる機能を提供すると、映像や文字だけでは伝えにくいことを、音声によってよりわかりやすく説明を受けることができる。
【００１８】
また、上記フォームチェック装置は、ＩＤ情報ごとに設けられた個別格納部と、上記撮像端末から送信された撮像データファイルを保存する一時記憶部とを有し、上記ファイル管理機能は、一時記憶部に保存した撮像データファイルに関連付けられたＩＤ情報を識別し、保存した撮像データファイルを識別したＩＤ情報の個別格納部に振り分ける構成を採用することができる。この構成によれば、一時記憶部に一時的に記憶することで、ファイル形式の変更などの処理を確実に行うことができる。
【００１９】
具体的には、上記フォームチェック装置が、上記一時記憶部に上記撮像データファイルを保存した後、この撮像データファイルより上記操作端末に提供される上記描画機能に対応するファイル形式に変換した映像データファイルを作成する変換ファイル作成機能と、この映像データファイル及び上記撮像データファイルを上記フォームチェック装置に設けられた振り分け部に移し、この振り分け部内の撮像データファイルと映像データファイルを対応付けてこの撮像データファイルと関連付けられたＩＤ情報の個別格納部に格納する振り分け機能を有する構成を採用することが出来る。この構成によれば、上記撮像端末から上記フォームチェック装置への撮像データファイルの送信が完了して、ファイル全てを一時記憶部に保存してから変換を行うため、ファイルの変換エラーが起きにくく、より確実に変換処理を行うことが出来る。また、ファイル形式の変換によりファイルサイズを小さくし、又は再生負荷を下げることができる。
【００２０】
また、上記フォームチェック装置が、フォームチェックサービスを提供するサービス提供業者ごとに、利用可能な機能を選択して設定できる構成とすることができる。この構成によれば、システム提供業者は、複数のサービス提供業者に対してシステムを利用させることが出来る。また、サービス提供業者は独自に上記撮像端末や上記フォームチェック装置を設置する必要がなく、システム提供業者と契約するだけで、サービスを開始することが出来、かつ、任意の機能を選択することにより他のサービス提供業者との間で差別化を図ることができる。さらに、サービスの利用者は、多数のサービス提供業者の中から、気に入ったサービス提供業者を選んでサービスの提供を受けることが出来る。
【発明の効果】
【００２１】
上記のように、この発明によれば、上記撮像データファイルが実演者ごとのＩＤ情報と関連付けて識別され、この撮像データファイルが未公開の状態で格納、管理され、この撮像データファイルへのアクセスがＩＤ情報によりログイン認証してアクセス権限を付与された操作端末に限られるので、フォームチェックサービスの利用者にとって信頼性に優れたフォームチェックサービス用システムを得られる。
【発明を実施するための最良の形態】
【００２２】
以下、この発明について、発明を実施するための最良の形態を、図面を用いて説明する。なお、各図にはこの発明に関する事項のみを概念的に示している。この発明にかかるシステムは、図１に示すように、実演者のフォームを撮像する撮像端末１１と、この撮像端末１１で作成された撮像データファイル４１を格納する情報蓄積手段１２及びこの情報蓄積手段１２との間で上記撮像データファイル４１を受け渡しするフォームチェックサーバ１３を備えたフォームチェック装置１４と、フォームチェックサーバ１３からネットワーク１０を介して受信した上記撮像データファイル４１を画面に出力する複数の操作端末１５とを備えたフォームチェックサービス用システムである。
【００２３】
このフォームチェックシステムは、ゴルフや野球のスイングフォームのチェック用に構成されている。もちろん、他のスポーツのフォームチェックに利用することが出来るが、特にゴルフのように、実演者が特定の範囲にとどまってプレイするスポーツにおいて撮像が容易である。また、スポーツに限らず、ダンスや日本舞踊のような、身体的動作を伴う文化活動であっても適用可能であり、スポーツと同様に、実演者が特定の範囲にとどまる茶道、華道、陶芸などの文化活動において撮像が容易である。さらには、百貨店の化粧品売り場で実演する化粧手順や、厨房における包丁や鍋の使い方などの調理手順、職人による伝統工芸品やカスタムメイド工業製品の製造手順などを含めたフォームのチェックに用いられる。なお、フォームとは姿勢や動作を意味する。
【００２４】
撮像端末１１は、実演者のフォームを撮像して撮像データファイル４１を作成し、撮像データファイル４１と共に、この撮像に付随する情報をまとめた撮像固有情報ファイル４２を作成するものであり、ゴルフ練習場やバッティングセンター等の実演が行われる場所に設置される。この撮像固有情報ファイル４２は、テキストデータからなり、ＸＭＬ形式やコンマ区切りなどの形式であってもよい。
【００２５】
この撮像端末１１は、図１及び図２に示すように、スチルカメラ又はビデオカメラからなるカメラ部２１を備えていることが必要である。特に、撮像するフォームを動画として撮像すると一連の動作が把握しやすいので、カメラ部２１にはビデオカメラを用いることが好ましい。なお、カメラ部２１が音声録音能力を有していると、プレイにおける発生音や声による解説等を撮像データファイル４１に加えることができる。
【００２６】
また、撮像端末１１は、図２のように、撮像データファイル４１に実演者を識別可能なＩＤ情報と関連付けた固有のファイル名を付与するか、又はＩＤ情報と直接に関連付けて、誰の撮像データであるのかを判別できる撮像特定機能を有する。ここで、「ＩＤ情報と関連付けた」とは、ＩＤ情報を直接ファイル名の一部として使うことの他に、ＩＤ情報を暗号化して名付けたり、変換用のデータテーブルを用いてＩＤ情報と対応させた記号や番号の羅列を名付けたり、又はデータベースを参照してファイルからＩＤ情報を呼び出したりするといったように、撮像を行った実演者のＩＤ情報を呼び出せるようにすることをいう。また、撮像固有情報ファイル４２にも、撮像データファイル４１と同様の方法によりファイル名を付与したり、データベースで関連付けたりすると、誰の撮像データの情報であるか判別可能になり、撮像固有情報ファイル４２と撮像データファイル４１との間に関連性を持たせて管理し易くなる。さらに、撮像固有情報ファイル４２の内容としてもＩＤ情報を記録しておくとより管理しやすくなる。
【００２７】
なお、例えば実演者が体験生である場合など、実演者にＩＤ情報が未だ付与されていない場合には、撮像端末１１がＩＤ情報を仮に発行して撮像データファイル４１を作成し、その実演者が後ほどそのＩＤ情報を正式に付与され得るようにするとよい。
【００２８】
ＩＤ情報の付与は、図２のように、実演者にＩＤ情報を記録したＩＤカード２６を発行することにより行われる。撮像端末１１はＩＤカード２６の読み取り装置２２を有する。この読み取り装置２２はＩＤカード２６に対する書き込み機能を有していると、ＩＤカード２６に個々の実演者の詳細な利用履歴や利用回数等を記録でき、個々の実演者を管理しやすくなる。ＩＤカード２６としては、磁気カードやＩＣカードなどを用いることが出来る。またもちろん、必ずしもカード型である必要はなく、ＩＤ発信可能な携帯端末を利用してＩＤ情報を通信するようにしてもよい。
【００２９】
ＩＤカード２６に記録する情報としては、上記のＩＤ情報の他に、残存利用回数や、プリペイドした残金、使用履歴、ＩＤカード２６を発行したサービス提供者の識別情報等が挙げられる。ただし、残金や残存利用回数などは、ＩＤカード２６に記録するのではなく、サービス提供業者が管理する顧客管理サーバに記録して、利用するごとに利用内容を更新するようにしてもよい。
【００３０】
なお、撮像端末１１は、上記のＩＤカード２６等によりＩＤ情報を確認して、利用限度を超えていたりした場合は、撮像処理を中断するようになっている。さらに撮像端末１１が、ＩＤカード２６に入金情報を記録できるものであると、記録された残金の不足で撮像できなくなることを回避できる。
【００３１】
上記の実演者に付与されたＩＤ情報は、その実演者の個人情報と関連付けてフォームチェック装置１４内の管理データベース１６に登録される。この管理データベース１６は、後述する情報蓄積手段１２に含まれていてもよいし、個別のハードウェアであってもよい。
【００３２】
撮像端末１１は、ＩＤ情報を確認する場合には、ＩＤカード２６を読み取り、ネットワーク１０を介し、そのＩＤ情報が管理データベース１６に登録されているか否かを判断する。もちろん、キーボードやタッチパネルのようなＩＤ情報の入力装置を設けても良いし、あらかじめ管理データベース１６に登録された実演者の指紋や掌紋、虹彩等をセンサーで読み取る装置を設けて、各々の実演者を判別し、その管理データベース１６からＩＤ情報を呼び出すようにしてもよい。
【００３３】
撮像固有情報ファイル４２には、ＩＤ情報との関連付け情報、撮像を行った日時、場所、角度、フォーム実践時の計測数値、フォームの解析数値、その他撮像データファイル４１に付随して作成される情報を含む。この撮像固有情報ファイル４２の情報は、撮像データファイル４１を検索する際のキーとして用いることもできる。例えば、フォーム実践時の計測数値をキーとすれば、一定の計測数値以上を示したときの撮像データファイル４１を抽出し、どのようなフォームの時に計測数値が高いかを知る。この計測数値としては、例えば、ゴルフのスイングスピードや推定飛距離等が挙げられる。さらに、撮像した実演者がコメント等を書き加えられるものであってもよい。
【００３４】
なお、撮像固有情報ファイル４２は、撮像データファイル４１の一部に含めることも出来る。
【００３５】
カメラ部２１が、複数台のカメラからなる場合、カメラごとに作成される撮像データファイル４１及び撮像固有情報ファイル４２は、撮像方向又は撮像角度情報を有し、同時に撮像したファイルとの間で互いに関連付けがされる。
【００３６】
なお、撮像した影像を連続して撮像データファイル４１として保存していると、保存のための容量を無駄にしてしまうので、撮像データの中から、実演者のフォームとして必要な部分又は必要な瞬間の撮像データのみを保存するようにすることもできる。例えば、実演者の一連のフォームのうち、ビデオカメラであればトリガーとなる動作点の前、後、又は前後の一定時間をそのスポーツのフォームに適した時間だけ抜き出すようにする。
【００３７】
具体的には、ゴルフのスイングフォームを撮像した場合、ゴルフクラブが設置した赤外線センサーの光線を遮った瞬間をトリガーとして、その前後を抜き出す方法がある。ゴルフクラブを振り上げて静止した瞬間の後数秒間や、振り切った瞬間の前数秒間、ボールにヒットする瞬間の前後数秒などである。また、ボールを支えるティーを、衝撃を感知するセンサーに繋いで、ヒットする瞬間をトリガーとして、その前後数秒を抜き出す方法もある。さらに、ボールを打った打球音をマイクで検出してトリガーとして、その前後数秒を抜き出す方法もある。
【００３８】
上記撮像端末１１は、図１及び図２に示すように、作成した撮像データファイル４１のファイル形式を変換するエンコーダ２３を備えていてもよい。特に、撮像データファイル４１が動画である場合はファイルサイズが大きくなりやすく、無圧縮のままでは扱いにくいため、よりファイルサイズの小さいファイル形式に変換する。変換する形式は、例えばｍｐｅｇ２や、ｍｐｅｇ４等の、無圧縮ビデオファイルよりもファイルサイズを圧縮でき、フォームを確認できるだけの高画質を維持でき、かつ再生ソフトが一般的に流通しているファイル形式である。
【００３９】
なお、エンコーダ２３の実現は、ソフトウェアとして変換機能を実行するものでもよい。また、撮像端末１１には、エンコード処理に際し、一時的にファイルを保存したりするために、ローカルハードディスク２４を備えている。
【００４０】
さらに、撮像端末１１には、撮像データファイル４１を情報蓄積手段１２に保存する必要があるか否かを実演者に確認させるため、撮像データファイル４１を再生するディスプレイなどの再生装置と、保存するか否かの意思を入力するキーボードなどの入力装置を有する。実演者が撮像した撮像データファイル４１をその再生装置で確認した上で、その撮像データファイル４１を保存しないことを選択した場合には、撮像端末１１内のローカルハードディスク２４からファイルを消去して情報蓄積手段１２に送信しないこととなる。例えば、明らかなミスプレイで保存する必要が無い影像を撮像した場合に、送信前に消去すると、その後の必要のない処理を省くことができる。
【００４１】
一方で、撮像端末１１は、撮像端末１１と情報蓄積手段１２とが、インターネットのような公共回線であるネットワーク１０を介して繋がる場合には、それぞれをルータ２５及びルータ３１を介してネットワーク１０に接続し、バーチャルプライベートネットワークを構築して、ネットワーク１０からの認証のないアクセスを制限する。なお、回線で繋がるとは、有線で繋がっている状況のみではなく、無線で通信を送受信可能な状況をも含むものとする。
【００４２】
撮像端末１１は、作成した撮像データファイル４１及び撮像固有情報ファイル４２を、保存管理する情報蓄積手段１２に送信する機能を有する。撮像端末１１と情報蓄積手段１２とが、専用の電気通信回線で直接に繋がる場合はそのまま送信するとよい。
【００４３】
情報蓄積手段１２は、撮像端末１１から送信された撮像データファイル４１を外部に対し非公開の状態で格納するファイル管理機能を有する。ここで外部とは、フォームチェック装置１４以外の意味である。外部に対して非公開であるとは、フォームチェック装置１４以外にアクセスを認めないだけでなく、ファイルの存在をも知られないようにすることを言う。
【００４４】
また、情報蓄積手段１２は、撮像データファイル４１を格納する際に、撮像固有情報ファイル４２とともに格納し、これらを互いに関連付ける。互いに関連付けるとは、一方からもう一方を呼び出し可能とすることをいい、例えば、撮像固有情報ファイル４２に撮像した日付やＩＤ情報が含まれていた場合、その日付とＩＤ情報を調べることにより撮像データファイル４１を捜索できるようにしたり、ファイル名に固有の共通部分を持たせたりすることをいう。
【００４５】
ところで、撮像端末１１で作成した撮像データファイル４１及び撮像固有情報ファイル４２は、撮像を行った実演者のＩＤ情報によってアクセス権限を制限して情報蓄積手段１２に保存する必要があり（後述）、ファイルを保存する格納部４８内にそのＩＤ情報ごとに設けられた個別格納部であるホームディレクトリ４９に振り分ける具体的な方法の例を、図２を用いて説明する。
【００４６】
撮像端末１１では、撮像データファイル４１と撮像固有情報ファイル４２のファイル名を、ＩＤ情報と関連付けられて、どの実演者のファイルであるかを識別可能とし、また、撮像された日時を判別可能であるように作成する。例えば、撮像データファイル４１のファイル名は、撮像者である実演者のＩＤ情報そのもの又はＩＤ情報に関連付けられた文字列であるアルファベットや数字、八桁からなる撮影日の西暦年月日、六桁からなる撮影した時分秒、撮影した角度を合わせたものとし、それにファイルの形式を示す拡張子を付したものとする。ここで撮影角度は、実演者の正面からのものをｆ、右側からのものをｒ、左側からのものをｌ、背面からのものをｂとする。例えば、ＩＤ情報がＡ００００３であり、撮影日が２００４年１０月３１日であり、撮影時が１２時３４分５０秒であり、正面から撮影したものである撮像データファイル４１をｍｐｅｇ圧縮したファイルのファイル名は、Ａ００００３２００４１０３１１２３４５０ｆ．ｍｐｇとなる。ここで「ｍｐｇ」は、ｍｐｅｇ圧縮された動画ファイルの一般的な拡張子である。また、撮像固有情報ファイル４２は、撮影した角度の代わりに付記事項を設ける。例えば、上記の撮像データファイル４１に付随する撮像固有情報ファイル４２のファイル名は、Ａ００００３２００４１０３１１２３４５０ｘｘｘｘｘｘ．ｔｘｔとなる。ここで、ｘｘｘｘｘｘは任意の情報であり、「ｔｘｔ」はテキストファイルの一般的な拡張子である。
【００４７】
これらのファイルを、撮像端末１１から情報蓄積手段１２に送信して保存する際、まず、情報蓄積手段１２内の一時記憶部４３に保存する。次に、この一時記憶部４３に保存されたファイルのファイル名に関連付けられたＩＤ情報を識別する。そのＩＤ情報に対応するホームディレクトリ４９が情報蓄積手段１２の格納部４８内に既に存在していれば、それらのファイルは格納部４８内のそのＩＤ情報に対応するホームディレクトリ４９に振り分ける。そのＩＤ情報に対応するホームディレクトリ４９が格納部４８内に存在していなければ、ＩＤ情報に対応するホームディレクトリ４９を新たに作成し、そのホームディレクトリ４９にそれらのファイルを振り分ける。なお、ホームディレクトリ４９は、格納部４８内においてファイルをＩＤ情報ごとに格納する場所である。
【００４８】
また、情報蓄積手段１２では、この振り分けの際に、撮像データファイル４１に対してファイル形式の変換を行って、後述する操作端末１５に提供される画面の描画機能に対応した形式の映像データファイル４７を作成する。ここで画面の描画機能に対応した形式としては、直線や曲線を点の集合ではなくベクトル情報として扱え、かつ、操作端末１５で再生する際に負担の小さい動画形式が好ましく、例えば、一般的に拡張子「ｓｗｆ」で表されるＭａｃｒｏｍｅｄｉａ社のＦＬＡＳＨ形式が挙げられる。
【００４９】
ファイル形式の変換を伴うファイルの振り分け機能を説明する。なお、ＩＤ情報（図２中、「Ａ００００３」）を有する実演者が、撮像端末１１により撮像しており、撮像データファイル４１と撮像固有情報ファイル４２が作成され、情報蓄積手段１２内の一時記憶部４３に保存された状態にある。
【００５０】
情報蓄積手段１２は、一時記憶部４３に保存されたファイルのうち、撮像データファイル４１を情報蓄積手段１２内の形式変換部４４に、撮像固有情報ファイル４２を情報蓄積手段１２内の振り分け部４６にそれぞれ移動する。この移動は、先にコピーを行った後で一時記憶部４３に残ったファイルを消去することにより実現される。上記形式変換部４４に送られた撮像データファイル４１は、情報蓄積手段１２内のエンコードソフト４５、又はフォームチェックサーバ１３により、上記のＦＬＡＳＨ形式に変換し、映像データファイル４７を新たに作成する。変換後、元の撮像データファイル４１と新たに作成された映像データファイル４７とを、振り分け部４６に移し、ファイル名に関連付けられたＩＤ情報（図中「Ａ００００１」、「Ａ００００２」、「Ａ００００３」、「Ｂ００００１」、「Ｂ００００２」、「Ｘ００００１」等。ここでは「Ａ００００３」。）ごとのホームディレクトリ４９へ振り分ける。
【００５１】
上記の振り分け部４６や形式変換部４４にファイルが移った際の処理は、常時行うものではなく、普段は情報蓄積手段１２かフォームチェックサーバ１３によって監視され、それらの場所にファイルが移されてきた際に処理を行うようになっている。これにより、全体の処理を軽減可能である。
【００５２】
また、一時記憶部４３に、例えば、操作端末１５からデータを送信する等の方法により、撮像データファイル４１と撮像固有情報ファイル４２以外のファイルが送られてきた場合には、形式変換部４４には送らずに振り分け部４６に移動させて、同様のファイル名を用いた識別により振り分けるようにするとよい。このため、撮像データファイル４１や撮像固有情報ファイル４２以外のファイルも、ファイル名にはＩＤ情報、又はＩＤ情報に関連付けられた固有の文字列を付すとよい。
【００５３】
なお、このような振り分けではなく、データベースである情報蓄積手段１２にあらかじめ記録し、その属性を変換するものであってもよい。例えば、物理的にファイルをディレクトリに振り分ける手段に限定することなく、データベースを構築し、新規にファイルが追加された場合には、このデータベースにレコードを追加し、ファイルが変更された場合はデータベースレコードを変更する等といった形でファイルが物理的に振り分けられた場合と同様に、ファイル名とＩＤ情報を関連付ける操作をするようにしてもよい。
【００５４】
次に、フォームチェック装置１４を構成する上記のフォームチェックサーバ１３について説明する。このフォームチェックサーバ１３とは、情報蓄積手段１２及び操作端末１５との間で撮像データファイル４１等のファイルやＩＤ情報を送受信し、また、この発明を用いる実演者をＩＤ情報ごとに管理するものである。情報蓄積手段１２と一体に設けられていてもよいし、通信回線を介した別個のものであってもよい。
【００５５】
フォームチェックサーバ１３の機能について、図３を用いて説明する。まずフォームチェックサーバ１３は、操作端末１５から送信された実演者のＩＤ情報に対応するログイン情報（Ａ）により、操作端末１５を認証するログイン認証機能（Ｂ）を有する。フォームチェックサーバ１３は、操作端末１５からＩＤ情報を送信されると、そのＩＤ情報が登録されているＩＤ情報であるか、また登録されていればどのような機能を利用できる状態にあるかを、上記管理データベース１６の記録を参照した上で、認証可能であればその操作端末１５を認証し、ログイン状態にする。認証された操作端末１５は、定められた範囲で、フォームチェックサーバ１３より機能の提供を受ける。また、認証後、ログアウトを行った操作端末１５は、再び認証されるまでフォームチェックサーバ１３の機能を利用できない。長時間ログイン状態のままである操作端末１５は、フォームチェックサーバ１３により強制的にログアウトさせるようにしてもよい。
【００５６】
なお、操作端末１５は、ログイン情報に対する入力機能を有していることが必要である。ここで入力機能とは、キーボードなどによるテキスト入力機能だけではなく、ＩＤカード２６の読み取り装置２２によってＩＤ情報を読み取り入力するものも含む。
【００５７】
一方、操作端末１５から送信された（Ａ）というＩＤ情報が登録されていなければ、そのＩＤ情報により認証を試みた操作端末１５からのアクセスを拒否する。なお、仮のＩＤ情報として仮登録を行えるようにし、機能の一部を利用させるようにしてもよい。また、ログイン認証することなく、限定的に機能の一部を利用できるようにしてもよい。
【００５８】
なお、操作端末１５は、上記のようなログイン認証をフォームチェックサーバ１３に対して送信するログイン送信機能を有している必要がある。このログイン認証は、上記の撮像端末１１が実演者のＩＤ情報を得る方法と同様の手段を用いることができる。
【００５９】
フォームチェックサーバ１３は、情報蓄積手段１２に格納されたファイルへのアクセス権限を管理する機能を有する。情報蓄積手段１２に格納された撮像データファイル４１や撮像固有情報ファイル４２等は、各々の実演者の個人情報でもあるため、無制限なアクセスを許可することは好ましく無い。一方で、格納されたこれらのファイルを、実演者が他者に閲覧させたり編集させたりしたいと望む場合もある。
【００６０】
そこで、フォームチェックサーバ１３には、ログイン認証を行った実演者が、自身のＩＤ情報に関連付けられたファイルへのアクセス権限を、他者のＩＤ情報ごとに設定できるアクセス制限機能（Ｃ）が設けられている。ここで、実演者は自身のＩＤ情報でログイン認証を行った操作端末１５からフォームチェック装置１４に対して設定を行う。
【００６１】
このアクセス制限機能（Ｃ）には、例えば、ホームディレクトリ機能を用いて、実演者がアクセスすると各々の実演者ごとのホームディレクトリ４９内へのファイルの読み書きができるようにディレクトリ単位でアクセス権限を付与する処理を実行するものや、データベースを用いて、各々のファイルをデータベースにレコードする際に個別に設定することにより各々のファイル単位でアクセス権限を付与するもの、インターネットサーバにファイルを登録（アップロード）してそのファイルにアクセスするためのＵＲＬを生成させ、そのＵＲＬを知得した限られた者のみアクセスを可能にすることでアクセス権限を付与するものなどがある。なお、ディレクトリとは、ファイルを分類するために情報蓄積手段１２の格納部４８中を階層化可能に区切った記憶領域である。
【００６２】
上記のホームディレクトリ機能とは、ユーザごとのディレクトリを設定し、ユーザがサーバにアクセスした際に、ルートディレクトリではなく、そのディレクトリ内で作業を行うこととする機能をいう。このユーザごとに設定されたホームディレクトリ４９の中には、さらに細かい子ディレクトリが設けられ、各々アクセス権限を個別に設定することが出来る。この子ディレクトリとしては、例えば、個々の撮像固有情報ファイル４２や後述する指導情報のファイル、撮像された月ごとに格納されたファイル群などのように、ディレクトリ中で任意に設定された各ファイルやファイル群を設定することができる。具体的には、Ｗｉｎｄｏｗｓ（登録商標）に実装されているホームディレクトリ機能により実現できる。
【００６３】
上記のデータベースを用いる際のデータベースは、上記の管理データベース１６を拡張し、ユーザである実演者のＩＤ情報ごとに、どのファイル、どのディレクトリにアクセス可能であるかを記録し、その記録に基づいてアクセスが可能であるか否かをチェックすることでアクセス権限を付与するものである。
【００６４】
さらに、ホームディレクトリ機能やデータベースを用いる方法では、上記の設定の方法を基本として、実演者自身が他の一部の実演者のＩＤ情報を選択し、そのＩＤ情報により認証された操作端末１５から、自身の撮像データファイル４１にアクセスできるように、ホームディレクトリ４９内の子ディレクトリ単位や、個々のファイル単位でアクセス権限を変更できる。なお、選択する際に、実演者が他の一部の実演者のＩＤ情報を選択するのではなく、その他の実演者が設定したニックネームを選択することによりアクセス権限を変更できるようにすると、相互に機密性を高めることができる。ＵＲＬを生成させる方法では、ファイルにアクセスすることを可能とさせたい他の一部の実演者にＵＲＬを連絡することでアクセス権限を変更できる。なお、そのＵＲＬが上記ＩＤ情報と無関係なものであると、他人が偶然にアクセスできる可能性を低下させることができ、秘匿性が増す。また、ＩＤ情報と無関係なものでも、実演者自身や他の実演者のニックネームをＵＲＬに使用すると、教えるべき相手にはわかりやすくできる。
【００６５】
もちろん、操作端末１５は、入力機能として、実演者が指示や選択を入力し、その内容をフォームチェックサーバ１３に送信する権限変更送信機能を有する。
【００６６】
また、フォームチェックサーバ１３は、認証した操作端末１５に対して、操作端末１５を操作している実演者が、自身にアクセス権限が認められたファイルを確認するための情報を送信し、操作端末１５にそれらのファイルを識別可能に提示させるファイル情報表示機能（Ｇ）を有する。ここで、「アクセス権限が認められた」とは、実演者が自分の有するＩＤ情報を操作端末１５からフォームチェックサーバ１３に送信して認証された上で、そのＩＤ情報によるアクセスが許可されたことをいう。
【００６７】
また、「識別可能に提示する」とは、撮像データファイル４１のファイル名を一覧させる他に、撮像データファイル４１の一部を画像として一覧させたり、撮像固有情報ファイル４２に含まれる撮影日や撮影場所のデータを一覧させたりすることも含むものである。このように閲覧できるファイルの一覧を提示されることにより、実演者は自身が閲覧したいファイルを選択して、再生させたり、編集したりすることができる。さらに、撮像データファイル４１以外にも、撮像固有情報ファイル４２や、その他のファイルを取り出せるようにしてもよい。
【００６８】
フォームチェックサーバ１３は、上記のファイルの情報を提示した操作端末１５からの要求（Ｄ）に応じて撮像データファイル４１を操作端末１５に送信する要求撮像送信機能（Ｈ）を有する。このように操作端末１５に送信することによって、実演者は自身の操作する操作端末１５に撮像データファイル４１等を保存しておく必要なく、必要なときに呼び出して再生させることができる。
【００６９】
フォームチェックサーバ１３は、操作端末１５に、撮像データファイル４１及び撮像固有情報ファイル４２を編集する機能を提供するチェック補助機能（Ｊ）を有する。ここで編集とは、撮像データファイル４１のような映像の一部をカットするだけでなく、映像上に見た際の補助となる基準線や位置囲み、あるいは軌跡の線などを書き込んだりする描画機能や、撮像固有情報ファイル４２に、撮像データファイル４１を解析した数値などを追記したりすることも含む。
【００７０】
これにより、操作端末１５は、フォームチェックサーバ１３から機能を与えられることで、撮像データファイル４１や撮像固有情報ファイル４２の編集が可能となる。そのため、操作端末１５にあらかじめ専用ソフトをインストールしておくといった手間が不要になる。また、例えば携帯電話のように機能の制限された携帯端末を、操作端末１５として用い易くなり、いつでもどこでもフォームを確認し、また映像を見ることが出来るようになる。
【００７１】
なお、映像に上記の基準線や位置囲み、あるいは軌跡の線などを書き込む上記の描画機能を利用したり、携帯端末で映像を再生させたりするのは、撮像データファイル４１の通常の形式では難しい場合がある。そのため撮像データファイル４１を情報蓄積手段１２に保存する際に、上記の作業を容易にできるファイル形式に変換した映像データファイル４７を別に作成して保存しておくとよい。このようなファイル形式としては、例えばＭａｃｒｏｍｅｄｉａ社のＦＬＡＳＨ形式が挙げられる。このような映像データファイル４７は、上記の描画機能を用いる際に、撮像データファイル４１の代わりとして用いることができる。
【００７２】
フォームチェック装置１４は、上記のチェック補助機能によって提供された上記描画機能で描画、編集することにより作成された描画処理情報を、これらの編集や描画を行う前の、元の撮像データファイル４１又は上記映像データファイル４７と関連付けて記録するチェック情報記録機能（Ｋ）を有する。撮像データファイル４１を編集及び描画した描画処理情報を、元の撮像データファイル４１又は上記映像データファイル４７と関連付けることなく保存しておくと、編集や描画をする前の元の姿を参照することが難しくなったり、大本の撮像者がわからなくなってしまったり、一度編集及び描画されたファイルが存在するにもかかわらず同様の処理をして新たなファイルを作成してしまったりする可能性がある。このため、上記描画処理情報と撮像データファイル４１又は上記映像データファイル４７とを、互いに参照できるようにしておくとよい。
【００７３】
フォームチェック装置１４は、このように保存された描画処理情報を、描画対象である元の撮像データファイル４１又は上記映像データファイル４７とともに、操作端末１５に送信するチェック情報提供機能（Ｉ）を有する。これらを同時に画面に出力することにより、元のフォームと解析した結果とを並べて検討することができる。
【００７４】
フォームチェック装置１４には、実演者が撮像した撮像データファイル４１や撮像固有情報ファイル４２以外にも、実演者が参照する参考映像ファイルを格納しておき、この参考映像ファイルを、実演者が情報蓄積手段１２にアクセスすることによって、操作端末１５に出力させる参考映像提供機能（Ｌ）を有すると好ましい。この参考映像ファイルは、サービス提供業者が用意する映像をいう。上級者のフォーム映像を実演者が閲覧することで、自分の撮像データファイル４１に記録されたフォームと比較して、自分のフォームをより良くする参考とすることができる。また上記サービス提供業者は、参考映像ファイルとしてそのスポーツにおいて著名な選手を選び、その映像を提供することで、実演者をより満足させることができ、他のサービス提供業者との差別化を図ることが出来る。
【００７５】
上記の参考映像ファイルを、サービス提供業者が用意する方法としては、例えば、レッスンや講義を行う指導者が実演者として撮像端末１１によりフォームを撮像して、撮像データファイル４１のアクセス権限とは異なる参考映像ファイル用のアクセス権限を付与してフォームチェック装置１４に格納する方法や、撮像端末１１とは別のビデオカメラ、テレビカメラなどで撮影した指導者やその他の上級者のフォーム映像を、ケーブルを用いてそのままサーバに取り込んだり、ＤＶＤ等に記録してそのＤＶＤをサーバに入れて読み出し、参考映像ファイル用のアクセス権限を付与してサーバ内に格納したりする方法などがある。
【００７６】
またこの他に、上記参考映像ファイルとして、例えば、上記スポーツに関するスポーツ用品の紹介広告や、撮像端末１１を設置した練習場の紹介広告等といった、サービス提供者が契約により送信を希望する映像を格納し、実演者に提供してもよい。これにより、サービス提供業者は広告収入を得たり、自己の関連スポーツ事業の広告を行ったりすることが出来る。
【００７７】
主に上記の指導者が使う機能として、フォームチェック装置１４は、操作端末１５に対して、指導情報を入力させる指導情報入力機能（Ｅ）を提供し、その操作端末１５により入力された指導情報を情報蓄積手段１２に格納する機能（Ｆ）を有する。より具体的には、認証した操作端末１５に対して、実演者の撮像データファイル４１に関する内容を含むアドバイスなどの指導情報を、テキスト入力させる上記指導情報入力手段を提供するようになっている。この指導情報入力手段により、その操作端末１５から入力された指導情報は、撮像データファイル４１に関連付けて、情報蓄積手段１２に格納される。指導情報を格納する際には、その指導情報と関連付けられた撮像データファイル４１とアクセス権限を共通化させ、撮像データファイル４１へのアクセス権限を認証により有する操作端末１５からの要求に応じてアクセス可能として（Ｄ）、その操作端末１５に出力させる（Ｈ）ようになっている。
【００７８】
上記の指導者がこのような認証を行うためには、指導者が自己のＩＤ情報を予め管理データベース１６に登録しておき、操作端末１５から、登録されたＩＤ情報とパスワードを使って認証し、指導者としての機能を用いることが出来るようにする。また、予め指導者としてＩＤカード２６を付与されており、読み取り装置２２を有する端末にＩＤカード２６を挿入することで指導者として認証できるようにしてもよい。指導者として登録すると、指導を担当する実演者のホームディレクトリ４９やファイルへのアクセスが可能となり、それらのファイルを閲覧し、意見や指導情報を書き加えたりするアクセス権限を有することになる。
【００７９】
上記の指導者が書き加える上記の指導情報としては、撮像データファイル４１のフォームに関する指導の他、撮像データファイル４１とは直接関係なく、専門の指導者による多くの実演者が利用できる通信教育の授業内容、各々の実演者に対する個別のアドバイスとなるテキストや音声、実演者が撮像した撮像データファイル４１を上記チェック補助機能やチェック情報記録機能により編集してコメント等を加えたり基準線などを描画したりした映像等を利用することも出来る。
【００８０】
また、指導者が使う機能として、フォームチェックサーバ１３は、指導情報として、テキストデータだけではなく、音声データが扱えるようになっている。これにより、指導の内容を理解しやすく、また口頭での指導をそのまま再生することができる。具体的には、フォームチェックサーバ１３が上記指導情報入力手段として録音ソフトを提供するようになっており、操作端末１５が物理的な音声入力装置を備えている。
【００８１】
なお、撮像端末１１と操作端末１５とを一体のものとした場合、実演者のフォームを撮像し、撮像データファイル４１を作成したその場の端末で、そのフォームについて実演者に直接口頭で指導した内容を録音、記録して上記の指導情報として入力し、その撮像データファイル４１と関連付けて格納するものであると、フォームと指導内容とを同時に呼び出すことができる。この場合、撮像端末１１のカメラ部２１が録音装置を有しており、その録音装置を用いて上記指導者の発言を録音するものであるとよい。
【００８２】
フォームチェックサーバ１３は、操作端末１５にテキスト、音声又はそれらの両方を記録する入力機能（Ｎ）を提供し、情報蓄積手段１２に実演者が操作端末１５から記録した上記のテキスト、音声、又はそれらの両方を格納させ、その実演者がアクセスを許可した他のＩＤ情報により認証された操作端末１５からそのテキスト、音声又はそれらの両方を閲覧可能とした、意見交換機能（Ｍ）を有していてもよい。ここで、操作端末１５がキーボードを有さない場合にテキスト文章を記録するのであれば、フォームチェックサーバ１３は入力機能として文字入力ソフトを操作端末１５に提供する。
【００８３】
このテキストを他のＩＤ情報により認証した実演者が見る場合、フォームチェックサーバ１３は、操作端末１５の有するディスプレイに表示させる。一方、音声を記録する場合、フォームチェックサーバ１３は操作端末１５に録音ソフトを提供する。もちろん操作端末１５は音声入力機能を有する必要があり、音声を再生する場合は、操作端末１５が音声出力機能を有する必要がある。
【００８４】
この意見交換機能（Ｍ）により、実演者が選んだ他の実演者にメッセージを送ることができる。また、上記のアクセス制限機能（Ｄ）により相手の実演者がアクセスを許可した撮像データファイル４１について、コメント、意見、指導を加えることができる。これにより、実演者同士が、互いのフォームを撮影した撮像データファイル４１を参照し合い、お互いにそれぞれのフォームを批評し、改善点を指摘したりすることができる。
【００８５】
さらに、記録したテキストや音声へのアクセスを許可する他のＩＤ情報を複数にすることで、グループ内での雑談、意見交流、会合や競技会の打ち合わせなどを行うことができ、その許可された複数のＩＤ情報を有する実演者同士の結束を高め、引いてはサービスの利用を促進させることができる。
【００８６】
これらの他に、図２に記載のグループＡ，グループＢのように、実演者をグループとしてまとめたグループ管理機能をフォームチェック装置１４に持たせることもできる。具体的には、１つのグループ単位でアクセス権限を認めることを可能とし、指導情報を共有させる。
【００８７】
また、実演者の中で、自身の撮像固有情報ファイル４２の一部又は全部を公開している者の記録を比較し、順位を付けて実演者が見られるようにすると、実演者同士の向上心を高めることができる。
【００８８】
また上記したように、操作端末１５は、上記ログイン送信機能や上記権限変更送信機能を用いたり、撮像データファイル４１等の映像の編集や描画を行ったり、フォームチェック装置１４から提示された撮像データファイル４１や、上記指導情報を選択したりするための入力機能を有する。この入力機能としては、キーボード、テンキー、タッチパネル、マウス、トラックボール等が挙げられる。
【００８９】
さらに、フォームチェック装置１４は、操作端末１５に、撮像データファイル４１や上記描画処理情報、上記指導情報である映像ファイルを複数並べて同時に再生できる機能を提供できるものであるとより好ましい。二つの映像を同時に再生させることで、例えば、撮像データファイル４１や上記描画処理情報を並べて再生し比較することで、過去の自分のフォームと現在の自分のフォームとを比較したり、上級者である実演者や上記指導者から示された映像と自分のフォームとを比較したりして、自身のフォームの改善すべき点をより明確に見出す助けとすることができる。また、一つのフォームを複数の方向から撮像した場合に、二つの方向から撮像した映像を同時に再生できると、フォームの立体的把握を助けることができる。また、三つ以上の映像を並べると、より多面的にフォームを把握したり、同時に複数の映像と比較したりすることもできる。
【００９０】
このようなシステムを構成するフォームチェック装置１４は、複数のサービス提供業者ごとに、利用可能な機能が別個に設定される。上記のＩＤカード２６や撮像端末１１、操作端末１５はサービス提供業者間で共有し、映像の保存と再生に関する部分を複数の業者が提供すると、使用料金や指導者の質、用意した指導情報の内容などによって各サービス提供業者が競い合い、実演者はその中から最適と思うサービス提供業者を選ぶことができる。例えば、上記指導情報として、そのスポーツの著名なプロの映像を用意したりすると、実演者にとってそのサービス提供業者を選択する魅力の一つとなりうる。
【００９１】
このように、複数のサービス提供業者が存在し、上記のフォームチェック装置１４がそのサービス提供業者ごとに利用可能なように設定されている場合は、撮像端末１１から送信された撮像データファイル４１は、認証されたＩＤカード２６などのＩＤ情報に予め指定されたフォームチェック装置１４の情報蓄積手段１２中に設定されたサービス提供業者ごとの格納部４８のホームディレクトリ４９に格納する。ここで、予め指定された、とは、そのＩＤ情報を発行したサービス提供業者が提供するフォームチェック装置１４に自動的に指定されたりする場合や、実演者が新たなサービス提供業者と契約して、自ら指定する場合などが挙げられる。
【００９２】
一方、上記のＩＤカード２６や撮像端末１１、操作端末１５をインフラとして設置すれば、新規参入しようとするサービス提供業者は、フォームチェック装置１４の設置業者（管理者）からＩＤカード２６や端末の利用権を取得することで、フォームチェック装置１４に必要なファイルや設定を用意するだけで事業に参入することができ、参入後も端末の管理などの手間を省くことが出来る。
【００９３】
また、別の方法として、スポーツ練習場、競技場などを運営する業者が、フォームチェック装置１４の管理を他者に委託し、ＩＤカード２６の発行と端末を設置する場の提供により収益を上げることもできる。
【００９４】
上記の映像データファイル４７について描画を行う描画処理情報の具体的描画方法の例について、図４を用いて説明する。
フォームチェックサーバ１３から操作端末１５に提供された、又は操作端末１５があらかじめ有している画面出力機能である動画の再生プレイヤーソフトの画面上（ａ）に、仮想的な透明キャンバスを重ねる（ｂ）。この透明キャンバス上に描画を行うことにより、元の撮像データファイル４１そのものの情報を損なうことなく、撮像データファイル４１の映像に手を加えることが可能となる。また、透明キャンバスを複数重ねて（ｃ）、複数の線を描画することもできる。これにより、より柔軟な描画が可能になる。
【００９５】
また、描画に失敗した場合は描画がされた透明キャンバスを削除することにより元の状態に戻すことができる（ｃ→ｂ、ｂ→ａ）。そのためこの機能を実現する再生プレイヤーには、この透明キャンバスを削除する機能を持たせる。透明キャンバスのうちの選択された一枚を削除する場合と、全ての透明キャンバスを削除して元の撮像データファイル４１の映像に戻す場合とがあり、両方の機能を有する。
【００９６】
この再生プレイヤーソフトの画面上で描画を効率よく行うために、再生させる映像データファイル４７はベクトル情報としての線や円、曲線を扱うことが出来る上記のＦＬＡＳＨ形式とする。画面上で描画すべき図形の種類を選び、画面上の描画の始点をマウスなどのポインティングデバイスを用いて指定して、座標情報を記録する。また同様に終点を、ポインティングデバイスを用いて指定して、この始点と終点の間に線を引いたり、始点を中心とする円を描いたり、さらに一点を指定して曲線を描いたりする。
【００９７】
これにより、上記のスイングプレーンやスウェイの他、ゴルフクラブヘッドの軌跡をなぞったりして、線を保存し、その線に別の映像を重ねて再生させることで比較を容易にすることができる。この他、再生プレイヤーは早送りや巻き戻しの他、コマ送りや一時停止機能を備えて、フォームの各点における比較を容易にする。
【実施例１】
【００９８】
以下、図５に基づき、この発明にかかるシステムを用いてゴルフのスイングフォームチェックサービスを提供する際の処理の流れを、実演者であるゴルファーと、サービス提供業者である管理者と事業者との間に関して説明する。ここで、管理者とはサーバの処理やメンテナンス、ＩＤカード２６の作成などを行う設備の管理や運用を行う者であり、事業者とはゴルフ場やゴルフ練習場、ゴルフショップ、ゴルフ学校などを運営しており、それらの場所に撮影端末を導入している者をいう。
【００９９】
まず、ゴルファーが会員として未登録な状態で利用する場合の例について説明する。管理者はＩＤカード２６を作成し（１０１）、そのＩＤカード２６に記録するＩＤ情報を、フォームチェック装置１４中の管理データベース１６に登録する（１０２）。このとき、管理者はそのＩＤカード２６の初期状態でシステムを利用できる回数をあらかじめ決定しておくと、無制限な利用を防ぐことができる。
【０１００】
管理者は作成したＩＤカード２６を事業者に配布する（１０３）。事業者は、受領した（１０４）ＩＤカード２６を、撮影を希望するゴルファーからの申し込み（１０５）に応じて発行する（１０６）。このとき、ＩＤカード２６を有償で発行するか無償で発行するかは任意である。無償で配布する場合には、システム利用回数に制限のあるＩＤカード２６をゴルファーに発行してシステムを体験させるように使うことができる。有償で配布する場合には、支払う金額に応じて、発行するＩＤカード２６のシステム利用回数を変えることもできる。
【０１０１】
ＩＤカード２６を受け取った（１０７）ゴルファーは、事業者が運営して撮像端末１１を設置している場に赴き、受け取ったＩＤカード２６を撮像端末１１の読み取り装置２２に挿入し（１０８）、撮像端末１１で撮像できるようにして、スイングを行う（１０９）。撮像端末１１は、撮像した映像から撮像データファイル４１を作成するとともに（１１０）、ＩＤカード２６のＩＤ情報、撮像した日時、スイングを行った場所名とそれを提供した事業者名、撮像した角度の他、その場で併設されたスイングスピード計測器で計測されたスイングスピードと、推定飛距離を撮像固有情報ファイル４２として作成し、これらのファイルを管理者の管理する情報蓄積手段１２に送信して保存させる（１１１）。ここで、図１に記載のシステムのように、送信する前に映像の形式をエンコーダ２３により変換してもよい。
【０１０２】
一回の撮像又は一回の保存により、システムを一回利用したこととなり、ＩＤカード２６に利用回数が制限されている場合は、その回数が一回減じられる。この処理はＩＤカード２６に書き込んでもよいし、情報蓄積手段１２にファイルを保存する際に、フォームチェックサーバ１３がＩＤ情報ごとに記録している回数を内部処理して減じてもよい。
【０１０３】
撮像が終わったゴルファーは、続けて撮像を行っても良いし（１０９）、それで止めるのならばＩＤカード２６を読み取り装置２２から取り出して撮像を終了する。
【０１０４】
撮像後、ゴルファーは、事業者の設置している操作端末１５か、又はゴルファー自身の所有するパソコンや携帯電話である操作端末１５を用いて、管理者の運営するインターネット上にあるフォームチェック装置１４のサーバにアクセスし（１２１）、ログインを行う（１２２）。なお、このサーバは、フォームチェックサーバ１３そのものでもよいし、フォームチェックサーバ１３とともにフォームチェック装置１４を構成するＷＷＷサーバとすることもできる。
【０１０５】
ゴルファーは、ＩＤカード２６に記録されたＩＤ情報及びパスワードを入力してログイン認証を行う。フォームチェックサーバ１３は、ログイン認証を行い（１２３）、認証結果をフォームチェックサーバ１３に送信し（１２４）、フォームチェックサーバ１３は認証結果を表示する（１２５）。ＩＤ情報やパスワードが正しく無かったり、決められた利用回数を超過していたりしたら、ログインは失敗し（１２５）、ログイン認証を改めて行う（１２２）。
【０１０６】
ログイン認証するＩＤ情報とパスワードが正しく、また、決められた利用回数を過ぎていたりしなければログインが成功し（１２５）、ゴルファーはフォームチェック装置１４を利用する（１２６）。フォームチェック装置１４は、基本的な機能としては、操作端末１５に、そのＩＤカード２６をもって撮像された撮像データファイル４１やそれに付随する撮像固有情報ファイル４２を一覧として表示させるようデータを送信し（１２７）、ゴルファーはその中から閲覧したいファイルを選択して、フォームチェックサーバ１３に送信する。
【０１０７】
ゴルファーがこのようにシステムを利用することにより、事業者はＩＤカード２６を有償で配布することで収益をあげることができる。管理者はゴルファーの利用ログから（１４１）、撮像回数、閲覧回数、転送されたデータ量、又はこれらのうちの複数の要素に応じて、事業者に対して利用料を請求し（１４２、１４３）、料金を受け取る（１４４，１４５）ことでこのシステムをサービスとして運用できる。また、ゴルファーがこのシステムを更に利用しようとする場合に、毎回ＩＤカード２６の発行を申請したり、使用料を払ってＩＤカード２６に入金するのではなく、そのＩＤカード２６を会員登録して、口座からの自動引き落とし等より柔軟な使用ができるようにしてもよい（１３１，１３２）。
【０１０８】
次に、ゴルファーが会員として事業者の運営するゴルフ教室の生徒である場合の例について、図６を用いて説明する。
【０１０９】
まず、事業者は開講するゴルフ教室の受講生数に応じたＩＤカード２６を作成するように、管理者に申請する（２０１）。管理者は指定された数のＩＤカード２６を作成し（２０２，２０３）、そのＩＤカード２６のＩＤ情報による認証でシステムが利用できるように設定する（２０４）。設定が終わったＩＤカード２６を事業者に送り（２０５）、枚数や設定に応じて事業者に利用料を請求する（２１０〜２１３）。事業者は、管理者からＩＤカード２６を受領し（２０６）、受講希望者からの受講申し込み（２０７）に対して、ＩＤカード２６を発行する（２０８、２０９）。また、事業者が恒常的にゴルフ教室を開いており、常時会員が増えている場合は、あらかじめ管理者に大量のＩＤカード２６を注文して自己で保管し、必要に応じて新たな受講者に渡す（２０８）ようにしてもよい。
【０１１０】
ゴルフ教室において事業者と契約した指導者は、レッスンを行う（２２２）際に、受講生であるゴルファー（２２１）のＩＤカード２６を各々の受講生がスイングを行う場に設けた撮像端末１１の読み取り装置２２に挿入し（２２３）、受講生のスイングを撮像する（２２４，２２５）。ここで、撮像端末１１と一体化した操作端末１５において、撮像した映像を分析して受講生に対する指導を行う（２２６，２２７）。この指導としては撮像データファイル４１に関して口頭による解説を録音して付加する他、撮像データファイル４１に頭の位置やスイングプレーン（ボールと両肩とを結んだ仮想平面）、スウェイ（身体の左右への傾斜）などを描いた基準線等を描画した新たな描画処理情報を作成し、受講生が自分のスイングフォームの映像をより明確に理解するようにすることも含む。元の撮像データファイル４１と撮像固有情報ファイル４２の他、音声を加えた映像や、描画処理情報等を、管理者の管理する情報蓄積手段１２に送信して、保存する（２２８）。なお、この保存の際には、ＩＤカード２６の読み取りにより（２２３）、フォームチェックサーバ１３へのログイン認証は済んでいる。なお、受講中は指導者がＩＤカード２６を管理し、撮像又は受講の終了時にＩＤカード２６を取り出して（２３０）、受講生に返却（２３１）するようにする。
【０１１１】
レッスン後に受講生は、事業者の用意した操作端末１５又は自身の操作端末１５から、ＩＤカード２６に記録されたＩＤ情報とパスワードにより、事業者のフォームチェック装置１４のサーバにアクセスし（２４１）、自身のＩＤ情報によりログイン認証を行う（２４２、２４３）。ＩＤが正しく、利用回数の制限にも抵触しなければ（２４４，２４５）、ログインが認証されて、システムを利用することができる（２４６）。利用の内容としては、まず、受講生は自分がアクセス権限を有する映像の一覧を操作端末１５に送信させて、それらを閲覧することができる。ここで閲覧できるのは、撮像データファイル４１と撮像固有情報ファイル４２だけではなく、指導者の音声が付加された映像や、指導者が描画した描画処理情報も含み、受講生は授業の内容を反芻することができる。また、過去の撮影時期の異なる自分の撮像データファイル４１同士を比較して同時再生し、自身の上達具合を見て実感することもできる。
【０１１２】
この他に、指導者が直接指導するだけでなく、指導カリキュラム情報を作成して、情報蓄積手段１２に記録しておき、ＩＤカード２６で認証された受講生が操作端末１５からその指導カリキュラムを見て練習する通信教育サービスを実現することもできる。この指導カリキュラム情報は音声と映像からなっていてもよいし、テキスト文章からなっていてもよい。テキスト文章からなる場合、携帯電話のような携帯端末からでも容易に閲覧することができるが、フォームチェックサーバ１３は携帯電話でも文章を読みやすいように、携帯電話特有のＨＴＭＬに変換して送信する機能を有していてもよい。
【実施例２】
【０１１３】
アクセス制限機能について、表１に記載の人物がシステムを利用する場合を例とし、図７乃至図９を用いて説明する。個人Ａ乃至Ｃはこの発明における実演者であり、指導者Ａ及び指導者Ｂはこの発明における指導者であり、管理者はこの発明にかかるシステムの管理者である。初期状態において、実演者は他者の撮像データファイル４１や撮像固有情報ファイル４２にアクセスする権限を有さない。指導者は自身が担当する実演者の撮像データファイル４１や撮像固有情報ファイル４２を受信して閲覧し、手を加えて新たなファイルとして保存することはできるが、上書きや削除はできない。管理者は全ての人物のファイルにアクセスする権限を有し、閲覧だけではなく削除も可能である。また、全ての人物は、自分のファイルを閲覧だけでなく削除も可能なアクセス権限を有する。
【０１１４】
【表１】
2006130079.tif 000003
【０１１５】
初期状態における、各々の人物のアクセス権限は表２のようになる。表中「×」はアクセスが不可能であることを意味する。また、「○○のファイル」とは、撮像データファイル４１と撮像固有情報ファイル４２とを意味し、さらに、映像データファイル４７を含む。ただし、参考映像ファイルは含まない。ここで「アクセス可」とは呼び出して送信させ、それを加工し、意見を書き込むことまで可能であり、削除が不可であることを意味し、「フルアクセス可」とは送信、加工、意見の書き込みだけでなく、上書き、削除まで可能であることを意味する。
【０１１６】
【表２】
2006130079.tif 000004
【０１１７】
各々の人物は、基本的に自分の撮像したファイルへのアクセスは可能であり、他者のファイルへの自由なアクセスは認められない。例えば、図７のように、個人Ａが撮影し（３０１）、送信して（３０２）、保存した撮像データファイル４１は（３０３）、個人Ａがログイン認証（３０４〜３０７）して利用（３０８，３０９）するには制限が無い。しかし無関係な指導者Ｂがログイン認証して（３１１〜３１４）個人Ａのファイルを利用しようとしても（３１５）、個人Ａのファイルに対するアクセスは認められないために、拒否される（３１６）。
【０１１８】
このようなアクセス制限機能は、例えばＷｉｎｄｏｗｓ（登録商標）やＵＮＩＸ（登録商標）におけるホームディレクトリ機能により実現される。このホームディレクトリ機能とは、各々のＩＤ情報に対応したホームディレクトリ４９を作成し、ログインした際にはそのホームディレクトリ４９の中でファイルの読み書きが可能となる。ただし、管理者以外の者は、他者のファイルは読むこともできないように初期設定がされる。
【０１１９】
これに加えて、管理データベース１６に登録されたＩＤ情報を拡張したデータベースを構築し、初期設定において各個人が読み書き可能な自身のホームディレクトリ４９以外に、各々のユーザＩＤでアクセスできるホームディレクトリ４９又は子ディレクトリを個々に設定する。ここで、指導者ＡはスクールＡで受講する個人Ａの指導員であり、個人Ａのファイルを閲覧する必要がある。そこで予め、フォームチェック装置１４のデータベースに、個人Ａのホームディレクトリ４９にアクセスして個人Ａの撮像データファイル４１や撮像固有情報ファイル４２を送信させるよう、個人ＡのＩＤ情報を設定しておく（３００）。これにより、指導者Ａがログイン認証して（３３１〜３２４）、個人Ａのファイルの送信を要求すると（３２５）、データベースは指導者ＡのＩＤ情報の設定を確認してアクセスを許可し（３２６）、ファイルを送信する（３２７）。これで指導者Ａは自分の教える個人Ａのファイルを閲覧することができる（３２８）。
【０１２０】
ここで、他者に付与されるアクセス権限は、基本的にはフォームチェック装置１４からの送信を可能とするのみであり、ファイルの削除は不可能である。ただし、指導者Ａは個人Ａを指導するために指導情報を提供することが必要である。これを実現するために、指導者Ａは個人Ａのホームディレクトリ４９の中にある特定の子ディレクトリに対しては、送信させるのみではなく、書き込みを加えることができるように、データベースにおいて指導者ＡのＩＤ情報に個人Ａ内の特定の子ディレクトリに書き込み可能と設定する。すなわち、指導者Ａは個人Ａのホームディレクトリ４９にある撮像データファイル４１を送信させることが許可されるが、さらに、これを編集した映像データファイル４７を、個人Ａのホームディレクトリ４９内の特定の子ディレクトリに保存することも許可される。
【０１２１】
また、これらのような子ディレクトリごとに制限するのではなく、撮像データファイル４１や撮像固有情報ファイル４２を個々のファイルとして管理するデータベースと、管理データベース１６とを、関係データベースとして構築し、個々のファイルのアクセス権限を設定する方法でも実現できる。この方法では撮像データファイル４１や撮像固有情報ファイル４２は、データベースにレコードとして記録される。
【０１２２】
なお、実演者や指導者のアクセス権限について子ディレクトリごとに管理する場合でも、関係データベースを構築してファイルごとに管理する場合でも、管理者は特別な設定をしなくても全てのファイルにアクセス可能である。この権限は、Ｗｉｎｄｏｗｓ（登録商標）においては「Ａｄｍｉｎｉｓｔｒａｔｏｒ」権限、ＵＮＩＸにおいては「ｒｏｏｔ」権限を有することで実現される。
【０１２３】
このような初期設定は、さらに状況に応じてデータベースの設定により変更可能とする。ファイルごとにアクセス権を変更する例を、図８を用いて説明する。表２の状態にある通常の実演者である個人Ｂが撮影したファイルは（３５１〜３５３）、個人Ｂがログイン認証して（３５４〜３５７）見ることができる（３５８，３５９）が、この時点で無関係な指導者Ｂは、ログイン認証しても（３６１〜３６４）、そのファイルを見ることが出来ない（３６５，３６６）。
【０１２４】
次に、個人Ｂが、インターネットに公開されたフォームチェック装置１４のｗｅｂサイトに設けられた申し込み画面から、自身のＩＤ情報と、指導を受けたい自身のフォームを撮影した撮像データファイル４１を指定して、ネットレッスンを申し込む（３７１）。このとき、撮像データファイル４１とともに、個人Ｂの悩みや相談事項を送信する（３７２）。この申し込みによりフォームチェック装置１４が、データベースにある「指導者Ｂ」の「自身のＩＤ情報に対応するファイル以外にアクセスできるファイル」の項目中に、「個人Ｂ」のＩＤ情報と指定された撮像データファイル４１のファイル名とを、ファイルへのアクセス可とする内容とともに記録する（３７３）。さらに、個人Ｂはネットレッスンを申し込んであるので、指導者Ｂは単にファイルを閲覧するだけではなく、特定のファイルに指導情報を書き込んだり、音声データを入力したりして、そのファイルへの批評を加えられるように、書き込みも可能であるようにデータベースに記録する（３７３）。
【０１２５】
これにより、指導者Ｂは個人Ｂのファイルを閲覧できるようになり、すなわち、個人Ｂの指導者としてアクセスできるようになる。このときのアクセス権限は表３のようになる。表３のようにアクセス権限を設定した後に、指導者Ｂが改めてログイン認証し（３８１〜３８４）、個人Ｂのホームディレクトリ４９にある撮像データファイル４１や撮像固有情報ファイル４２の送信を要求する（３８５）と、データベースの設定に従い指導者Ｂによるアクセスが許可され（３８６）、ファイルが送信されて（３８７）、指導者Ｂは個人Ｂのファイルを閲覧することができる（３８８）。ここでのファイルは、個人Ｂが送信した悩みや相談事項を含む。指導者Ｂはこれらを閲覧して、悩みに対する返答や、撮像データファイル４１を見て理解できた改善点、撮像データファイル４１を編集した出来た映像データファイル４７などを書き込む。
【０１２６】
【表３】
2006130079.tif 000005
【０１２７】
さらに、知人友人にファイルを公開して、意見交換を可能にする例を、図９を用いて説明する。初期状態では、個人Ａが撮影して保存した（４０１〜４０３）撮像データファイル４１や撮像固有情報ファイル４２は、個人Ａがアクセスすることはできるのみで（４０４〜４０８）、図７の場合と同様に、無関係な人間はアクセスできない。
【０１２８】
そこで、個人Ａが知人である個人Ｃに、自身の撮像データファイル４１や撮像固有情報ファイル４２を見てもらい、意見交換機能を利用できるようにするには、まず、個人Ａは個人Ｃから、個人ＣのＩＤ情報を教えてもらう（４２１、４２２）。次に、個人Ａはインターネットに公開されたフォームチェック装置１４のｗｅｂサイトに設けられた申し込み画面から、アクセスを許可したい相手である個人ＣのＩＤ情報、個人Ｃにアクセスを許可したい撮像データファイル４１や撮像固有情報ファイル４２のファイル名、個人Ｃにアクセスを許可したい公開期間等の情報を送信する（４２３）。
【０１２９】
フォームチェック装置１４は、データベースに記録した、「個人Ｃ」の「自身のＩＤ情報に対応するファイル以外にアクセスできるファイル」の項目中に、個人Ａから指定されたファイルを閲覧可能として記録する。ただし、個人Ｃは閲覧した撮像データファイル４１を編集して映像データファイル４７として記録することはできず、個人Ａの意見交換のためのファイルに記録できるのは、音声データやテキストデータからなる、コメント、意見、指導等のメッセージのみである。これにより、アクセス権限は表４のように変更される。
【０１３０】
【表４】
2006130079.tif 000006
【０１３１】
さらに、個人Ｃが同様の手順により、個人ＡのＩＤ情報を教えてもらい、個人Ｃの撮像データファイル４１や撮像固有情報ファイル４２を個人Ａがアクセスできるように設定すると、相互の情報公開と、情報交換とが可能になる。
【０１３２】
また、このように変更しても、閲覧できるのは指定した個人Ｃのみであり、無関係な個人Ｂがログイン認証して（４３１〜４３４）、個人Ａのファイルを閲覧しようとしても（４３５）拒否される（４３６）。なお、これと同様に個人Ｃも、個人Ａが個人Ｃに閲覧可能とするように設定していない個人Ａのファイルを閲覧しようとすると、拒否されることになる。
【０１３３】
このような、限定された知人への公開は、データベースに記録する方法の他に、公開したい撮像データファイル４１や撮像固有情報ファイル４２をインターネット上に、ＩＤ情報から類推困難な文字列を有するＵＲＬを付与して、アップロード又は公開することでも実現可能である。個人Ａは、撮像データファイル４１や撮像固有情報ファイル４２に付与されたＵＲＬを、公開したい相手である個人Ｃに伝えることで、個人Ｃにのみ自分のファイルを閲覧させることができる。この場合、個人ＣのＩＤ情報を教えてもらう必要がない。また、フォームチェック装置１４が、そのＵＲＬを１ファイルごとに分けるものではなく、複数のファイルを追加登録可能なページとしておくと、個人ＡからＵＲＬを伝えられた個人Ｃは、自分が公開しても良い撮像データファイル４１や撮像固有情報ファイル４２をそのページにアップロードして、個人Ａと共有することができる。
【０１３４】
なお、個人Ａ乃至個人Ｃのファイル以外の、参考映像ファイル等のファイルへのアクセス権限は、指導者Ａや指導者Ｂではなく、管理者が設定、変更して、容易には変更されないようにする。そのアクセス権限は、表５のようになる。
【０１３５】
【表５】
2006130079.tif 000007
【０１３６】
指導者Ａが所属するスクールＡの運営事業者が提供するファイルには、所属する指導者Ａと、その指導を受けている個人Ａが閲覧することができ、個人ＢやＣ、指導者Ｂなどは閲覧することが出来ない。逆に指導者Ｂが提供したファイルは、ネットレッスンを申し込んだ後の個人Ｂが閲覧することが出来るが、個人ＡやＣ，指導者Ａなどは閲覧することができない。一方、指導を提供する業者ではなく、システムの運営事業者が提供するファイルには、システムを利用する者全てが閲覧することができる。
【０１３７】
これらのファイルのうち、システムの運営事業者が提供するファイルのあるディレクトリは、ログイン認証した者であれば全てアクセスできるので、データベース中に各々のＩＤ情報の閲覧可能なディレクトリとして記録する必要なく、全てアクセス可能とする。一方で、各々の運営事業者が提供するファイルのあるディレクトリへのアクセスは、データベース中に各々のＩＤ情報の閲覧可能なディレクトリとして記録し、そのディレクトリが記録されていないＩＤ情報からのアクセスは拒否する。
【０１３８】
それらの参考映像ファイルは、指導者Ａや指導者Ｂが撮影、登録した映像を、管理者がアクセス権限を指導者Ａや指導者Ｂ（の事業者）の指定通りに設定して保存する。又は、フォームチェック装置１４がログイン認証した者に公開したインターネットページから、指導者Ａや指導者Ｂが必要な情報とともに送信して登録する。
【図面の簡単な説明】
【０１３９】
【図１】システムの概略図
【図２】ファイルの振り分けのフロー図
【図３】フォームチェック装置と操作端末との送受信を示すフロー図
【図４】この発明における透明キャンバスの概念図
【図５】未登録状態でのシステムの利用を示したフロー図
【図６】会員登録された状態でのシステムの利用を示したフロー図
【図７】個人のファイルに指導者がアクセスする場合のフロー図
【図８】レッスン登録した場合に指導者が個人のファイルにアクセスする場合のフロー図
【図９】個人が知人にファイルを公開する場合のフロー図
【符号の説明】
【０１４０】
１０  ネットワーク
１１  撮像端末
１２  情報蓄積手段
１３  フォームチェックサーバ
１４  フォームチェック装置
１５  操作端末
１６  管理データベース
２１  カメラ部
２２  読み取り装置
２３  エンコーダ
２４  ローカルハードディスク
２５，３１  ルータ
２６  ＩＤカード
４１  撮像データファイル
４２  撮像固有情報ファイル
４３  一時記憶部
４４  形式変換部
４５  エンコードソフト
４６  振り分け部
４７  映像データファイル
４８  格納部
４９  ホームディレクトリ
【図１】
2006130079.tif 000008
【図２】
2006130079.tif 000009
【図３】
2006130079.tif 000010
【図４】
2006130079.tif 000011
【図５】
2006130079.tif 000012
【図６】
2006130079.tif 000013
【図７】
2006130079.tif 000014
【図８】
2006130079.tif 000015
【図９】
2006130079.tif 000016